(57)【特許請求の範囲】
【請求項１】
隣接関係を確立する方法であって、
ＬＴＥから第３世代移動体通信（３Ｇ）への隣接関係を発見するための、ロング・ターム・エボリューション・エレメント管理システム（ＬＴＥ  ＥＭＳ）によって送出された発見メッセージを、隣接関係を確立する装置によって受信する工程と、
局所に記憶されたＬＴＥから３Ｇへの隣接関係ポリシーのうちの、前記ＬＴＥから３Ｇへの隣接関係に対応するＬＴＥから３Ｇへの隣接関係ポリシーを前記発見メッセージに応じて、前記装置によって取得する工程と、
前記ポリシーが双方向隣接関係を可能にする場合、３ＧからＬＴＥへの隣接関係を、前記装置によって確立する工程と
を含む方法。
【請求項２】
請求項１記載の方法であって、
前記ポリシーが、前記双方向隣接関係を可能にしない場合、前記ＬＴＥから３Ｇへの隣接関係に対応する３ＧからＬＴＥへの隣接関係が３Ｇシステムにおいて存在しているか否かを、前記装置によって判定し、前記ＬＴＥから３Ｇへの隣接関係に対応する前記３ＧからＬＴＥへの隣接関係が存在している場合、前記３ＧからＬＴＥへの隣接関係を前記３Ｇシステムから、前記装置によって削除する方法。
【請求項３】
請求項１又は２に記載の方法であって、
ＬＴＥから３Ｇへの隣接管理ポリシーが変わると、前記変わったポリシーに応じて前記ＬＴＥシステムと前記３Ｇシステムとの間の隣接関係を、前記装置によって更新する工程を更に含む方法。
【請求項４】
隣接関係を確立する方法であって、
局所に記憶されたＬＴＥから３Ｇへの隣接関係ポリシーのうちの、ＬＴＥから３Ｇへの隣接関係に対応するＬＴＥから３Ｇへの隣接関係ポリシーを、受信された、ＬＴＥから３Ｇへの隣接関係に応じて、隣接関係を確立する装置によって取得する工程と、
前記ポリシーが双方向隣接関係を可能にする場合、前記装置により、３ＧからＬＴＥへの隣接関係を確立するためのメッセージを３Ｇ  ＥＭＳに送出して、前記３Ｇ  ＥＭＳが、３ＧからＬＴＥへの隣接関係を確立することを可能にする工程と
を含む方法。
【請求項５】
請求項４記載の方法であって、
前記ポリシーが前記双方向隣接関係を可能にしない場合、前記装置により、３ＧからＬＴＥへの隣接関係を削除するためのメッセージを前記３Ｇ  ＥＭＳに送出して、前記３Ｇ  ＥＭＳが、３ＧからＬＴＥへの隣接関係を削除することを可能にする方法。
【請求項６】
請求項４又は５に記載の方法であって、
局所に記憶されたＬＴＥから３Ｇへの隣接関係ポリシーが変わると、前記変わったポリシーに応じて前記ＬＴＥシステムと前記３Ｇシステムとの間の隣接関係を、前記装置によって更新する工程を更に含む方法。
【請求項７】
隣接関係を確立する装置であって、
ＬＴＥから第３世代移動体通信（３Ｇ）への隣接関係を発見するための、ロング・ターム・エボリューション・エレメント管理システム（ＬＴＥ  ＥＭＳ）によって送出された発見メッセージを受信する受信装置と、
局所に記憶されたＬＴＥから３Ｇへの隣接関係ポリシーのうちの、ＬＴＥから３Ｇへの隣接関係に対応するＬＴＥから３Ｇへの隣接関係ポリシーを、前記発見メッセージに応じて取得するよう構成された取得装置と、
前記ポリシーが双方向隣接関係を可能にする場合、３ＧからＬＴＥへの隣接関係を確立するよう構成された確立装置と
を備える装置。
【請求項８】
請求項７記載の装置であって、
前記ポリシーが、前記双方向隣接関係を可能にしない場合、前記ＬＴＥから３Ｇへの隣接関係に対応する３ＧからＬＴＥへの隣接関係が３Ｇシステムにおいて存在しているか否かを判定し、前記ＬＴＥから３Ｇへの隣接関係に対応する前記３ＧからＬＴＥへの隣接関係が存在している場合、前記３ＧからＬＴＥへの隣接関係を前記３Ｇシステムから削除するよう構成された判定及び削除装置を更に備える装置。
【請求項９】
請求項７又は８に記載の装置であって、
局所に記憶されたＬＴＥから３Ｇへの隣接関係ポリシーが変わると、前記変わったポリシーに応じて前記ＬＴＥシステムと前記３Ｇシステムとの間の隣接関係を更新するよう構成された更新装置を更に備える装置。
【請求項１０】
隣接関係を確立する装置であって、
局所に記憶されたＬＴＥから３Ｇへの隣接関係ポリシーのうちの、ＬＴＥから３Ｇへの隣接関係に対応するＬＴＥから３Ｇへの隣接関係ポリシーを、受信された、ＬＴＥから第３世代移動体通信（３Ｇ）への隣接関係に応じて取得するよう構成されたポリシー取得装置と、
前記ポリシーが双方向隣接関係を可能にする場合、３ＧからＬＴＥへの隣接関係を確立するためのメッセージを３Ｇ  ＥＭＳに送出して、前記３Ｇ  ＥＭＳが、３ＧからＬＴＥへの隣接関係を確立するよう構成された送出装置と
を備える装置。
【請求項１１】
請求項１０記載の装置であって、
前記ポリシーが前記双方向隣接関係を可能にしない場合、３ＧからＬＴＥへの隣接関係を削除するためのメッセージを前記３Ｇ  ＥＭＳに送出して、前記３Ｇ  ＥＭＳが、３ＧからＬＴＥへの隣接関係を削除することを可能にするよう構成された削除装置を更に備える装置。
【請求項１２】
請求項１０又は１１に記載の装置であって、
局所に記憶されたＬＴＥから３Ｇへの隣接関係ポリシーが変わると、前記変わったポリシーに応じて前記ＬＴＥシステムと前記３Ｇシステムとの間の隣接関係を更新するよう構成された更新装置を更に備える装置。
【請求項１３】
ロング・ターム・エボリューション・エレメント管理システム（ＬＴＥ  ＥＭＳ）と、第３世代移動体通信エレメント管理システム（３Ｇ  ＥＭＳ）と、ネットワーク管理システム（ＮＭＳ）とを備える、隣接関係を確立するシステムであって、
前記ＬＴＥ  ＥＭＳは、ＬＴＥから３Ｇへの隣接関係を発見するための発見メッセージを送出するよう構成され、
前記ＮＭＳは、局所に記憶されたＬＴＥから３Ｇへの隣接関係ポリシーのうちで前記ＬＴＥから３Ｇへの隣接関係に対応するＬＴＥから３Ｇへの隣接関係ポリシーを、前記受信された発見メッセージに応じて取得し、前記ポリシーが双方向隣接関係を可能にする場合、３ＧからＬＴＥへの隣接関係を確立するよう構成されたシステム。
【請求項１４】
ロング・ターム・エボリューション・エレメント管理システム（ＬＴＥ  ＥＭＳ）と、第３世代移動体通信エレメント管理システム（３Ｇ  ＥＭＳ）と、ネットワーク管理システム（ＮＭＳ）とを備える、隣接関係を確立するシステムであって、
前記ＬＴＥ  ＥＭＳは、局所に記憶されたＬＴＥから３Ｇへの隣接関係ポリシーのうちで前記ＬＴＥから３Ｇへの隣接関係に対応するＬＴＥから３Ｇへの隣接関係ポリシーを、受信されたＬＴＥから３Ｇへの隣接関係に応じて取得し、前記ポリシーが双方向隣接関係を可能にする場合に、３ＧからＬＴＥへの隣接関係を確立するための確立メッセージを前記３Ｇ  ＥＭＳに送出するよう構成され、
前記３Ｇ  ＥＭＳが、前記確立メッセージに応じて、３ＧからＬＴＥへの隣接関係を確立するよう構成されたシステム。
【発明の詳細な説明】
【技術分野】
【０００１】
本発明は、通信の分野に関し、特に、隣接関係を確立する技術に関する。
【背景技術】
【０００２】
技術の発展に伴い、ロング・ターム・エボリューション（Ｌｏｎｇ  Ｔｅｒｍ  Ｅｖｏｌｕｔｉｏｎ、ＬＴＥ）及び第３世代移動体通信（３ｒｄ  Ｇｅｎｅｒａｔｉｏｎ、３Ｇ）の技術がかなり発展してきている。現在、ＬＴＥシステム及び３Ｇシステムともに、自動隣接関係（Ａｕｔｏｍａｔｉｃ  Ｎｅｉｇｈｂｏｒ  Ｒｅｌａｔｉｏｎ、ＡＮＲ）機能を実現している。システム間（ＬＴＥと３Ｇとの間）の隣接関係について、ＬＴＥユーザ装置のＡＮＲ機能は、「ＬＴＥから３Ｇへの」隣接関係の発見をサポートし、３Ｇユーザ装置のＡＮＲ機能は、「３ＧからのＬＴＥへの」隣接関係の発見をサポートする。ＬＴＥから３Ｇへの隣接関係の発見についても、３ＧからＬＴＥへの隣接関係の発見についても、ＬＴＥ又は３Ｇのユーザ装置（Ｕｓｅｒ  Ｅｑｕｉｐｍｅｎｔ、ＵＥ）はＡＮＲ機能をサポートする必要がある。３ＧシステムからＬＴＥシステムへの方向を一例にとれば、３ＧからＬＴＥへの隣接関係を確立するために、３Ｇ  ＵＥは、ＡＮＲ測定及びログ（Ｌｏｇ）などの機能をサポートする必要がある。
【０００３】
しかし、従来技術では、多くの３Ｇ  ＵＥがＡＮＲ測定又はログをサポートせず、これにより、３ＧからＬＴＥへの隣接関係の確立が制限される。３Ｇ  ＵＥがＡＮＲ機能をサポートしない場合、３ＧからＬＴＥへの隣接関係は確立することが可能でなく、よって、ネットワーク端末は大きな制約を有する。
【発明の概要】
【発明が解決しようとする課題】
【０００４】
本発明の実施例は、３Ｇ  ＵＥがＡＮＲ機能をサポートしない場合に、３ＧからＬＴＥへの隣接関係を確立することが可能でないという、従来技術における課題を解決するために隣接関係を確立する方法を提供することを目的とする。
【課題を解決するための手段】
【０００５】
一局面では、本発明は、ＬＴＥから第３世代移動体通信３Ｇへの隣接関係を発見するための、ロング・ターム・エボリューション・エレメント管理システムＬＴＥ  ＥＭＳによって送出された発見メッセージを受信する工程と、局所に記憶された、ＬＴＥから３Ｇへの隣接関係ポリシーのうちで、ＬＴＥから３Ｇへの隣接関係に対応するＬＴＥから３Ｇへの隣接関係ポリシーを発見メッセージに応じて取得する工程と、ポリシーが双方向隣接関係を可能にする場合、３ＧからＬＴＥへの隣接関係を確立する工程とを含む、隣接関係を確立する方法を提供する。
【０００６】
別の局面では、本発明は、局所に記憶されたＬＴＥから３Ｇへの隣接関係ポリシーのうちで、ＬＴＥから３Ｇへの隣接関係に対応するＬＴＥから３Ｇへの隣接関係ポリシーを、受信されたＬＴＥから第３世代移動体通信３Ｇ隣接関係に応じて取得する工程と、ポリシーが双方向隣接関係を可能にする場合、３ＧからＬＴＥへの隣接関係を確立するためのメッセージを３Ｇ  ＥＭＳに送出して、３Ｇ  ＥＭＳが、３ＧからＬＴＥへの隣接関係を確立することを可能にする工程とを含む、隣接関係を確立する方法を提供する。
【０００７】
別の局面では、本発明は、更に、ＬＴＥから第３世代移動体通信３Ｇへの隣接関係を発見するための、ロング・ターム・エボリューション・エレメント管理システムＬＴＥ  ＥＭＳによって送出された発見メッセージを受信するよう構成された受信装置と、局所に記憶されたＬＴＥから３Ｇへの隣接関係ポリシーのうちで、ＬＴＥから３Ｇへの隣接関係に対応するＬＴＥから３Ｇへの隣接関係ポリシーを、発見メッセージに応じて取得するよう構成された取得装置と、ポリシーが双方向隣接関係を可能にする場合、３ＧからＬＴＥへの隣接関係を確立するよう構成された確立装置とを含む、隣接関係を確立する装置を提供する。
【０００８】
別の局面では、本発明は、更に、局所に記憶されたＬＴＥから３Ｇへの隣接関係ポリシーのうちで、ＬＴＥから３Ｇへの隣接関係に対応するＬＴＥから３Ｇへの隣接関係ポリシーを、受信されたＬＴＥから第３世代移動体通信３Ｇ隣接関係に応じて取得するよう構成されたポリシー取得装置と、ポリシーが双方向隣接関係を可能にする場合、３ＧからＬＴＥへの隣接関係を確立するためのメッセージを送出して３Ｇ  ＥＭＳが、３ＧからＬＴＥへの隣接関係を確立するよう構成された送出装置とを含む、隣接関係を確立する装置を提供する。
【０００９】
別の局面では、本発明は、ロング・ターム・エボリューション・エレメント管理システムＬＴＥ  ＥＭＳと、第３世代移動体通信エレメント管理システム３Ｇ  ＥＭＳと、ネットワーク管理システムＮＭＳとを含む、隣接関係を確立するシステムを提供する。ＬＴＥ  ＥＭＳは、ＬＴＥから３Ｇへの隣接関係を発見するための発見メッセージを送出するよう構成され、ＮＭＳは、局所に記憶されたＬＴＥから３Ｇへの隣接関係ポリシーのうちでＬＴＥから３Ｇへの隣接関係に対応するＬＴＥから３Ｇへの隣接関係ポリシーを、受信された発見メッセージに応じて取得し、ポリシーが双方向隣接関係を可能にする場合に、３ＧからＬＴＥへの隣接関係を確立するよう構成される。
【００１０】
別の局面では、本発明は、ロング・ターム・エボリューション・エレメント管理システムＬＴＥ  ＥＭＳと、第３世代移動体通信エレメント管理システム３Ｇ  ＥＭＳと、ネットワーク管理システムＮＭＳとを含む、隣接関係を確立するシステムを提供する。ＬＴＥ  ＥＭＳは、局所に記憶されたＬＴＥから３Ｇへの隣接関係ポリシーのうちでＬＴＥから３Ｇへの隣接関係に対応するＬＴＥから３Ｇへの隣接関係ポリシーを、受信されたＬＴＥから３Ｇへの隣接関係に応じて取得し、ポリシーが双方向隣接関係を可能にする場合に、３ＧからＬＴＥへの隣接関係を確立するための確立メッセージを３Ｇ  ＥＭＳに送出するよう構成される。３Ｇ  ＥＭＳは、確立メッセージに応じて、３ＧからＬＴＥへの隣接関係を確立するよう構成される。
【００１１】
上記技術的解決策では、ネットワーク管理システムＮＭＳは、ＬＴＥから３Ｇへの隣接関係を発見するための、ＬＴＥ  ＥＭＳによって送出された発見メッセージを受信し、局所に記憶されたポリシーのうちの、隣接関係に対応するポリシーを取得し、ポリシーが双方向隣接関係を可能にする場合に、３ＧからＬＴＥへの隣接関係を確立する。本発明において提供される方法では、３Ｇ  ＵＥは、３ＧからＬＴＥへの隣接関係の確立においてＡＮＲ機能を更にサポートしなくてよい。したがって、３Ｇ  ＵＥの機能は、３ＧからＬＴＥへの隣接関係の確立に対して制約を課さず、方法における３Ｇ  ＵＥが隣接関係の確立に課す制約は少ないので、ネットワーク端末が有する制約は少なくなる。
【図面の簡単な説明】
【００１２】
【図１】本発明の実施例による、隣接関係を確立する方法を示すフロー図である。
【図２】本発明の実施例による、隣接関係を確立する方法を実現するシナリオである。
【図３】本発明の実施例による、隣接関係を確立する方法を示すフロー図である。
【図４】本発明の実施例による、隣接関係を確立する方法を実現するシナリオである。
【図５】本発明の実施例による、隣接関係を確立する装置を示す構造図である。
【図６】本発明の実施例による、隣接関係を確立する装置を示す構造図である。
【発明を実施するための形態】
【００１３】
本発明の目的、技術的解決策、及び効果をより分かりやすくするために、以下では更に、添付図面及び実施例を参照して本発明を詳細に説明する。特定の実施例は、本発明を説明するために使用されるにすぎず、本発明を制限することを意図するものでない。
【実施例】
【００１４】
本発明は、隣接関係を確立する方法を提供する。方法は、ネットワーク管理システム（Ｎｅｔｗｏｒｋ  Ｍａｎａｇｅｍｅｎｔ  Ｓｙｓｔｅｍ，  ＮＭＳ）によって実現される。方法は図１に示し、方法を実現するシナリオは図２に示す。（ＬＴＥ  ＥＭＳ及び３Ｇ  ＥＭＳを含む）ＥＭＳと、  ＮＭＳとの間のインタフェースは、ノースバウンド・インタフェース（Ｉｎｔｅｒｆａｃｅ−Ｎ、ｉｔｆ−Ｎ（略称））であり得る。方法には以下が含まれる。
【００１５】
Ｓ１１  ＬＴＥから３Ｇへの隣接関係を発見するための、ＬＴＥ  ＥＭＳによって送出された発見メッセージを受信する。
【００１６】
Ｓ１２  局所に記憶されたＬＴＥから３Ｇへの隣接関係ポリシーのうちの、ＬＴＥから３Ｇへの隣接関係に対応するＬＴＥから３Ｇへの隣接関係ポリシーを、ＬＴＥから３Ｇへの隣接関係に応じて取得する。
【００１７】
Ｓ１３  ポリシーが双方向隣接関係を可能にする場合、３ＧからＬＴＥへの隣接関係を確立する。
【００１８】
任意的には、Ｓ１３の後、方法は更に、ポリシーが、双方向隣接関係を可能にしない場合、ＬＴＥから３Ｇへの隣接関係に対応する３ＧからＬＴＥへの隣接関係が３Ｇシステムにおいて存在しているか否かを判定し、ＬＴＥから３Ｇへの隣接関係に対応する３ＧからＬＴＥへの隣接関係が存在している場合、３ＧからＬＴＥへの隣接関係を３Ｇシステムから削除する工程を含み得る。
【００１９】
本発明において提供される方法では、ＮＭＳは、ＬＴＥから３Ｇへの隣接関係を発見するための、ＬＴＥ  ＥＭＳによって送出された発見メッセージを受信し、局所に記憶されたポリシーのうちの、隣接関係に対応するポリシーを取得し、ポリシーが双方向隣接関係を可能にする場合に、３ＧからＬＴＥへの隣接関係を確立する。本発明において提供される方法では、３Ｇ  ＵＥは、３ＧからＬＴＥへの隣接関係の確立においてＡＮＲ機能を更にサポートしなくてよい。したがって、３Ｇ  ＵＥの機能は、３ＧからＬＴＥへの隣接関係の確立に対して制約を課さず、方法における３Ｇ  ＵＥが隣接関係の確立に課す制約は少ないので、ネットワーク端末が有する制約は少なくなる。
【００２０】
任意的には、方法は更に、ＮＭＳ上に局所に記憶されたＬＴＥから３Ｇへの隣接関係ポリシーが変わると、変わったポリシーに応じてＬＴＥシステムと３Ｇシステムとの間の隣接関係を更新する工程を含み得る。
【００２１】
特定の実現形態の態様は以下の通りである。上記工程を例にとれば、元のポリシーが双方向隣接関係をサポートするが、変更されたポリシーが双方向隣接関係をサポートしない場合、３ＧからＬＴＥへの隣接関係を削除し、元のポリシーが双方向隣接関係をサポートしないが、変更されたポリシーが双方向隣接関係をサポートする場合、３ＧからＬＴＥへの隣接関係を確立する。
【００２２】
任意的には、ネットワーキング要件に応じて、（事業者などの）ユーザは、ＮＭＳ上に局所に記憶されたＬＴＥから３Ｇへの隣接関係ポリシーを柔軟に構成し得る。例えば、ＬＴＥシステムのカバレッジが、特定の領域において３Ｇシステムのカバレッジと水平方向に重なるか、又はＬＴＥシステムのカバレッジが、特定の領域において３Ｇシステムのカバレッジに隣接している場合、双方向隣接関係又は一方向隣接関係を設定し得る。
【００２３】
本発明は、隣接関係を確立する方法を提供する。方法は、ＬＴＥエレメント管理システム（Ｅｌｅｍｅｎｔ  Ｍａｎａｇｅｍｅｎｔ  Ｓｙｓｔｅｍ、ＥＭＳ）によって実現される。方法の特定のフローチャートは図３に示し、方法を実現するシナリオは図４に示す。図４に示すように、ＬＴＥ  ＥＭＳと３Ｇ  ＥＭＳとの間のインタフェースは水平方向のＰ２Ｐインタフェース（Ｉｎｔｅｒｆａｃｅ−Ｐ２Ｐ）であり得る。方法には以下が含まれる。
【００２４】
Ｓ３１  ＬＴＥ  ＥＭＳは、局所に記憶されたＬＴＥから３Ｇへの隣接関係ポリシーのうちの、ＬＴＥから３Ｇへの隣接関係に対応するＬＴＥから３Ｇへの隣接関係ポリシーを、受信された、ＬＴＥから３Ｇへの隣接関係に応じて取得する。
【００２５】
Ｓ３２  ポリシーが双方向隣接関係を可能にする場合、３ＧからＬＴＥへの隣接関係を確立するためのメッセージを３Ｇ  ＥＭＳに送出して、３Ｇ  ＥＭＳが、３ＧからＬＴＥへの隣接関係を確立することを可能にする。
【００２６】
任意的には、ポリシーが双方向隣接関係を可能にしない場合、３ＧからＬＴＥへの隣接関係を削除するためのメッセージを３Ｇ  ＥＭＳに送出して、３Ｇ  ＥＭＳが、３ＧからＬＴＥへの隣接関係を削除することを可能にする。
【００２７】
本発明において提供される方法では、ＬＴＥ  ＥＭＳは、局所に記憶されたポリシーのうちで、発見メッセージに対応するポリシーを、受信されたＬＴＥから３Ｇへの隣接関係に応じて取得し、ポリシーが双方向隣接関係を可能にする場合、３ＧからＬＴＥへの隣接関係を確立するためのメッセージを３Ｇ  ＥＭＳに送出して３Ｇ  ＥＭＳが、３ＧからＬＴＥへの隣接関係を確立する。本発明において提供される方法では、３Ｇ  ＵＥは、３ＧからＬＴＥへの隣接関係の確立においてＡＮＲ機能を更にサポートしなくてよい。したがって、３Ｇ  ＵＥの機能は、３ＧからＬＴＥへの隣接関係の確立に対して制約を課さず、方法における３Ｇ  ＵＥが隣接関係の確立に対して課す制約は少ないので、ネットワーク端末が有する制約は少なくなる。
【００２８】
任意的には、方法は更に、ＬＴＥ  ＥＭＳ上に局所に記憶されたＬＴＥから３Ｇへの隣接関係ポリシーが変わると、変わったポリシーに応じてＬＴＥシステムと３Ｇシステムとの間の隣接関係を更新する工程を含み得る。
【００２９】
特定の実現形態の態様は以下の通りである。上記工程を例にとれば、元のポリシーが双方向隣接関係をサポートするが、変更されたポリシーが双方向隣接関係をサポートしない場合、３ＧからＬＴＥへの隣接関係を削除し、元のポリシーが双方向隣接関係をサポートしないが、変更されたポリシーが双方向隣接関係をサポートする場合、３ＧからＬＴＥへの隣接関係を確立する。
【００３０】
任意的には、ネットワーキング要件に応じて、（事業者などの）ユーザは、局所に記憶されたＬＴＥから３Ｇへの隣接関係ポリシーを柔軟に構成し得る。例えば、ＬＴＥシステムのカバレッジが、特定の領域において３Ｇシステムのカバレッジと水平方向に重なるか、又はＬＴＥシステムのカバレッジが、特定の領域において３Ｇシステムのカバレッジに隣接している場合、双方向隣接関係又は一方向隣接関係を設定し得る。
【００３１】
本発明は更に、隣接関係を確立する装置を提供する。特に、装置はＮＭＳであり得る。図５に示すように、装置は受信装置５１、取得装置５２、及び確立装置５３を含む。
【００３２】
受信装置５１は、ＬＴＥから３Ｇへの隣接関係を発見するための、ロング・ターム・エボリューション・エレメント管理システムＬＴＥ  ＥＭＳによって送出された発見メッセージを受信するよう構成され、取得装置５２は、局所に記憶されたＬＴＥから３Ｇへの隣接関係ポリシーのうちで、ＬＴＥから３Ｇへの隣接関係に対応するＬＴＥから３Ｇへの隣接関係ポリシーを発見メッセージに応じて取得するよう構成され、確立装置５３は、ポリシーが双方向隣接関係を可能にする場合に３ＧからＬＴＥへの隣接関係を確立するよう構成される。
【００３３】
任意的には、装置は更に、ポリシーが、双方向隣接関係を可能にしない場合、ＬＴＥから３Ｇへの隣接関係に対応する３ＧからＬＴＥへの隣接関係が３Ｇシステムにおいて存在しているか否かを判定し、ＬＴＥから３Ｇへの隣接関係に対応する３ＧからＬＴＥへの隣接関係が存在している場合、３ＧからＬＴＥへの隣接関係を３Ｇシステムから削除するよう構成された判定及び削除装置５４を含み得る。
【００３４】
任意的には、装置は更に、局所に記憶されたＬＴＥから３Ｇへの隣接関係ポリシーが変わる場合、変更されたポリシーに応じてＬＴＥシステムと３Ｇシステムとの間の隣接関係を更新するよう構成された更新装置５５を更に含み得る。
【００３５】
本発明において提供される装置は、ＬＴＥから３Ｇへの隣接関係を発見するための、ＬＴＥ  ＥＭＳによって送出された発見メッセージを受信し、局所に記憶されたポリシーのうちの、ＬＴＥから３Ｇへの隣接関係に対応するポリシーを取得し、ポリシーが双方向隣接関係を可能にする場合に、３ＧからＬＴＥへの隣接関係を確立する。本発明において提供される装置では、３Ｇ  ＵＥは、３ＧからＬＴＥへの隣接関係の確立においてＡＮＲ機能を更にサポートしなくてよい。したがって、３Ｇ  ＵＥの機能は、３ＧからＬＴＥへの隣接関係の確立に対して制約を課さず、装置における３Ｇ  ＵＥが隣接関係の確立に課す制約は少ないので、ネットワーク端末が有する制約は少なくなる。
【００３６】
別の局面では、本発明は、更に、隣接関係を確立する装置を提供する。特に、装置はＬＴＥ  ＥＭＳであり得る。図６に示すように、装置は、ポリシー取得装置６１及び送出装置６２を含む。
【００３７】
ポリシー取得装置６１は、局所に記憶されたＬＴＥから３Ｇへの隣接関係ポリシーのうちの、ＬＴＥから３Ｇへの隣接関係に対応するＬＴＥから３Ｇへの隣接関係ポリシーを、受信された、ＬＴＥから３Ｇへの隣接関係に応じて取得するよう構成される。送出装置６２は、ポリシーが双方向隣接関係を可能にする場合、３ＧからＬＴＥへの隣接関係を確立するためのメッセージを３Ｇ  ＥＭＳに送出して、３Ｇ  ＥＭＳが、３ＧからＬＴＥへの隣接関係を確立することを可能にする。
【００３８】
任意的には、装置は、ポリシーが双方向隣接関係を可能にしない場合、３ＧからＬＴＥへの隣接関係を削除するためのメッセージを３Ｇ  ＥＭＳに送出して、３Ｇ  ＥＭＳが、３ＧからＬＴＥへの隣接関係を削除することを可能にするよう構成された削除装置６３を含み得る。
【００３９】
任意的には、装置は更に、局所に記憶されたＬＴＥから３Ｇへの隣接関係ポリシーが変わる場合、変更されたポリシーに応じてＬＴＥシステムと３Ｇシステムとの間の隣接関係を更新するよう構成された更新装置６４を更に含み得る。
【００４０】
本発明において提供される装置は、局所に記憶されたポリシーのうちで、発見メッセージに対応するポリシーを、ＬＴＥから３Ｇへの隣接関係に応じて取得し、ポリシーが双方向隣接関係を可能にする場合、３ＧからＬＴＥへの隣接関係を確立するためのメッセージを３Ｇ  ＥＭＳに送出して３Ｇ  ＥＭＳが、３ＧからＬＴＥへの隣接関係を確立することを可能にする。本発明において提供される方法では、３Ｇ  ＵＥは、３ＧからＬＴＥへの隣接関係の確立においてＡＮＲ機能を更にサポートしなくてよい。したがって、３Ｇ  ＵＥの機能は、３ＧからＬＴＥへの隣接関係の確立に対して制約を課さず、装置における３Ｇ  ＵＥが隣接関係の確立に課す制約は少ないので、ネットワーク端末が有する制約は少なくなる。
【００４１】
別の局面では、本発明は更に、ロング・ターム・エボリューション・エレメント管理システムＬＴＥ  ＥＭＳと、第３世代移動体通信エレメント管理システム３Ｇ  ＥＭＳと、ネットワーク管理システムＮＭＳとを含む、隣接関係を確立するシステムを提供する。ＬＴＥ  ＥＭＳは、ＬＴＥから３Ｇへの隣接関係を発見するための発見メッセージを送出するよう構成される。ＮＭＳは、局所に記憶されたＬＴＥから３Ｇへの隣接関係ポリシーのうちでＬＴＥから３Ｇへの隣接関係に対応するＬＴＥから３Ｇへの隣接関係ポリシーを、受信された発見メッセージに応じて取得するよう構成される。
【００４２】
本発明において提供されるシステムでは、ＬＴＥから３Ｇへの隣接関係を発見するための発見メッセージをＬＴＥ  ＥＭＳが送出した後、局所に記憶されたポリシーのうちの、ＬＴＥから３Ｇへの隣接関係に対応するポリシーを発見メッセージに応じて取得し、ポリシーが双方向隣接関係を可能にする場合に、３ＧからＬＴＥへの隣接関係を確立する。本発明において提供されるシステムでは、３Ｇ  ＵＥは、３ＧからＬＴＥへの隣接関係の確立においてＡＮＲ機能を更にサポートしなくてよい。したがって、３Ｇ  ＵＥの機能は、３ＧからＬＴＥへの隣接関係の確立に対して制約を課さず、装置における３Ｇ  ＵＥが隣接関係の確立に課す制約は少ないので、ネットワーク端末が有する制約は少なくなる。
【００４３】
別の局面では、本発明は、ロング・ターム・エボリューション・エレメント管理システムＬＴＥ  ＥＭＳと、第３世代移動体通信エレメント管理システム３Ｇ  ＥＭＳと、ネットワーク管理システムＮＭＳとを含む、隣接関係を確立するシステムを提供する。ＬＴＥ  ＥＭＳは、局所に記憶されたＬＴＥから３Ｇへの隣接関係ポリシーのうちでＬＴＥから３Ｇへの隣接関係に対応するＬＴＥから３Ｇへの隣接関係ポリシーを、受信されたＬＴＥから３Ｇへの隣接関係に応じて取得し、ポリシーが双方向隣接関係を可能にする場合に、３ＧからＬＴＥへの隣接関係を確立するための確立メッセージを３Ｇ  ＥＭＳに送出するよう構成される。３Ｇ  ＥＭＳは、確立メッセージに応じて、３ＧからＬＴＥへの隣接関係を確立するよう構成される。
【００４４】
本発明において提供されるシステムは、局所に記憶されたポリシーのうちで、発見メッセージに対応するポリシーを、ＬＴＥから３Ｇへの隣接関係に応じて取得し、ポリシーが双方向隣接関係を可能にする場合、３ＧからＬＴＥへの隣接関係を確立するためのメッセージを３Ｇ  ＥＭＳに送出して、３Ｇ  ＥＭＳが、確立メッセージに応じて３ＧからＬＴＥへの隣接関係を確立することを可能にする。本発明において提供されるシステムでは、３Ｇ  ＵＥは、３ＧからＬＴＥへの隣接関係の確立においてＡＮＲ機能を更にサポートしなくてよい。したがって、３Ｇ  ＵＥの機能は、３ＧからＬＴＥへの隣接関係の確立に対して制約を課さず、装置における３Ｇ  ＵＥが隣接関係の確立に課す制約は少ないので、ネットワーク端末が有する制約は少なくなる。
【００４５】
本発明において提供される技術的解決策は、ネットワーク端末に制約が少ないという効果を有する。
【００４６】
本明細書に開示された実施形態において説明された実施例との組合せで、装置及びアルゴリズム工程を、電子ハードウェア、又はコンピュータ・ソフトウェア及び電子ハードウェアの組合せによって実現し得るということが当業者には分かり得る。機能がハードウェアによって行われるか、ソフトウェアによって行われるかは、技術的解決策の特定の適用分野及び設計制約条件に依存する。当業者は、特定のアプリケーション毎に上記機能を実現するために別々の方法を使用し得るが、実現形態が本発明の範囲を越えるとみなすべきでない。
【００４７】
簡便な説明の目的のために、上記システム、装置、ユニットの詳細な作業工程は、上記方法の実施例における対応する工程を参照し得、ここでは再び詳細を説明しないものとするということを当業者は明確に分かり得る。
【００４８】
本出願において提供されるいくつかの実施例では、開示されたシステム、装置、及び方法は他の態様で実現し得る。例えば、説明された装置の実施例は例示的なものに過ぎない。例えば、装置の区切りは、論理的機能の区切りに過ぎず、実際の実現形態では他の区切りであり得る。例えば、複数の装置又は構成部分を別のシステムにおいて合成若しくは一体化し得、又は、特定の構成を無視するか、又は行わない場合がある。
【００４９】
別個の部分として説明された装置は、物理的に離れていても、いなくてもよく、装置として表示される部分は、物理装置であってもなくてもよく、１つの場所に配置し得るか、又は、複数のネットワーク装置上に分散させ得る。装置の一部又は全部は、実施例の解決策の目的を達成するための実際の必要性に応じて選択し得る。
【００５０】
更に、本発明の実施例における機能単位は、１つの処理装置に一体化してもよく、上記単位それぞれは物理的に単独で存在し得るか、又は、２つ以上の単位を１つの単位に一体化し得る。
【００５１】
上記機能が、ソフトウェア機能単位の形態で実現され、別個の製品として販売又は使用された場合、機能はコンピュータ読み取り可能な記憶媒体に記憶し得る。前述の理解に基づけば、実質的に、又はその部分が従来技術に対する貢献を有する本発明の技術的解決策、若しくは上記技術的解決策の一部はソフトウェア・プロダクトの形態で実現し得る。コンピュータ・ソフトウェア・プロダクトは記憶媒体に記憶され、本発明の実施例において説明された方法の工程の全部又は一部を行う旨をコンピュータ装置（パソコン、サーバ、又はネットワーク装置であり得る）に指示するためのいくつかの命令を含む。上記記憶媒体は、ＵＳＢフラッシュ・ドライブ、着脱可能なハード・ディスク、リードオンリ・メモリ（Ｒｅａｄ−Ｏｎｌｙ  Ｍｅｍｏｒｙ、ＲＯＭ）、ランダム・アクセス・メモリ（Ｒａｎｄｏｍ  Ａｃｃｅｓｓ  Ｍｅｍｏｒｙ、ＲＡＭ）、磁気ディスク、又は光ディスクなどの、プログラム・コードを記憶することが可能な何れかの媒体を含む。
【００５２】
上記説明は、本発明の例示的な実施例に過ぎない一方、本発明を制限することを意図するものでない。本発明の原理から逸脱しない限り、導き出される修正、均等の置換、又は改良は何れも、全て、本発明の保護範囲内に収まるものとする。
【図１】
0005680802.tif 000002
【図２】
0005680802.tif 000003
【図３】
0005680802.tif 000004
【図４】
0005680802.tif 000005
【図５】
0005680802.tif 000006
【図６】
0005680802.tif 000007